(57)【要約】【課題】  本発明は、排水床を構成する軽量気泡コンクリート床パネルが排水溝を兼ねるため構造が簡単で排水溝部材を省略出来、施工も容易な排水床構造及びその施工方法を提供することを可能にすることを目的としている。【解決手段】  敷き込まれたＡＬＣ床パネル３の床２の奥行き方向ａの前方ｂ表面に水平面からなる底面５ａを有する排水溝５が建物壁面に対して平行に形成され、該排水溝５の底面５ａには長手方向に勾配を有する勾配シート６が敷設され、ＡＬＣ床パネル３及び勾配シート６の表面を防水処理して構成したことを特徴とする。【選択図】      図１
2007224506.tif 000002
【特許請求の範囲】
【請求項１】
軽量気泡コンクリート床パネルを敷き込んで構成された住宅のベランダ、バルコニー或いは集合住宅の外廊下等の排水床構造であって、
前記敷き込まれた軽量気泡コンクリート床パネルの床の奥行き方向の前方表面には水平面からなる底面を有する排水溝が建物壁面に対して平行に形成され、該排水溝の底面には長手方向に勾配を有する勾配シートが敷設され、且つ前記軽量気泡コンクリート床パネル表面及び前記勾配シートの表面が防水処理を施されてなることを特徴とする排水床構造。
【請求項２】
軽量気泡コンクリート床パネルを敷き込んで構成された住宅のベランダ、バルコニー或いは集合住宅の外廊下等の排水床の施工方法において、
片方の外側表面に水平面からなる底面を有する排水溝が辺に対して平行に形成された軽量気泡コンクリート床パネルを床の奥行き方向の前方に敷設し、前記排水溝の底面に長手方向に勾配を有する勾配シートを敷設し、次いで、前記軽量気泡コンクリート床パネル表面及び前記勾配シートの表面に防水処理を施すことを特徴とする排水床の施工方法。
【発明の詳細な説明】
【技術分野】
【０００１】
本発明は、住宅のベランダ、バルコニー或いは集合住宅の外廊下等の排水床構造及びその施工方法に関するものである。
【背景技術】
【０００２】
従来、住宅のベランダ、バルコニー或いは集合住宅の外廊下等の排水床構造としては、実用新案登録第２５９８００８号公報（特許文献１）、特開２０００−０６４４１５号公報（特許文献２）及び特開２００２−０７０１５１号公報（特許文献３）に記載されたように、軽量気泡コンクリート（ＡＬＣ)パネルの脇に板金加工された排水溝部材を設けたり、溝付きの押出成形版が使用されている。
【０００３】
【特許文献１】実用新案登録第２５９８００８号公報
【特許文献２】特開２０００−０６４４１５号公報
【特許文献３】特開２００２−０７０１５１号公報
【発明の開示】
【発明が解決しようとする課題】
【０００４】
しかしながら、前述の従来例では、板金加工された排水溝部材や溝付きの押出成形版が別部品として必要になるため部品コストがかかり、施工が面倒であった。
【０００５】
本発明は前記課題を解決するものであり、その目的とするところは、排水床を構成する軽量気泡コンクリート床パネルが排水溝を兼ねるため構造が簡単で排水溝部材を省略出来、施工も容易な排水床構造及びその施工方法を提供せんとするものである。
【課題を解決するための手段】
【０００６】
前記目的を達成するための本発明に係る排水床構造は、軽量気泡コンクリート床パネルを敷き込んで構成された住宅のベランダ、バルコニー或いは集合住宅の外廊下等の排水床構造であって、前記敷き込まれた軽量気泡コンクリート床パネルの床の奥行き方向の前方表面には水平面からなる底面を有する排水溝が建物壁面に対して平行に形成され、該排水溝の底面には長手方向に勾配を有する勾配シートが敷設され、且つ前記軽量気泡コンクリート床パネル表面及び前記勾配シートの表面が防水処理を施されてなることを特徴とする。
【０００７】
また、本発明に係る排水床の施工方法は、軽量気泡コンクリート床パネルを敷き込んで構成された住宅のベランダ、バルコニー或いは集合住宅の外廊下等の排水床の施工方法において、片方の外側表面に水平面からなる底面を有する排水溝が辺に対して平行に形成された軽量気泡コンクリート床パネルを床の奥行き方向の前方に敷設し、前記排水溝の底面に長手方向に勾配を有する勾配シートを敷設し、次いで、前記軽量気泡コンクリート床パネル表面及び前記勾配シートの表面に防水処理を施すことを特徴とする。
【発明の効果】
【０００８】
本発明に係る排水床構造によれば、住宅のベランダ、バルコニー或いは集合住宅の外廊下等の排水床を構成する軽量気泡コンクリート床パネルの表面に排水溝が形成されたことで、該軽量気泡コンクリート床パネルが排水溝を兼ねるため構造が簡単で排水溝部材を省略出来、施工も容易である。また、板金加工の排水溝部材と違って軽量気泡コンクリート床パネルが不燃材であるため排水溝を含めて不燃性を維持することが出来る。また、軽量気泡コンクリート床パネルの表面に形成した排水溝に長手方向に勾配を有する勾配シートを敷設したことで該勾配シートの長手方向の排水がスムーズに出来る。
【０００９】
また、本発明に係る排水床の施工方法によれば、上記排水床構造を容易に施工することが出来る。
【発明を実施するための最良の形態】
【００１０】
図により本発明に係る排水床構造及びその施工方法の一実施形態を具体的に説明する。図１は本発明に係る排水床構造の第１実施形態を示す分解説明図、図２は本発明に係る排水床構造の第２実施形態を示す分解説明図、図３は本発明に係る排水床構造の第３実施形態を示す模式断面図、図４は勾配シートの他の構成を示す図である。
【００１１】
図１において、１は軽量気泡コンクリート床パネル（以下、「ＡＬＣ床パネル」という）３を敷き込んで構成された住宅のベランダ、バルコニー或いは集合住宅の外廊下等の排水床構造である。敷き込まれたＡＬＣ床パネル３の床２の奥行き方向ａの前方ｂ表面には該ＡＬＣ床パネル３の長手方向の全長に亘って水平面からなる底面５ａを有する断面コ字形状の排水溝５が図示しない建物壁面に対して平行に形成されている。
【００１２】
図１のＡＬＣ床パネル３はその短手方向が床２の奥行き方向ａに平行に配置され、梁材４上に載置して固定支持される。
【００１３】
排水溝５の底面５ａには、長手方向に勾配を有する勾配シート６が敷設される。勾配シート６は塩化ビニル製のシートとすることが出来、ＡＬＣ床パネル３の長手方向の長さに対応する長さを有して構成される。
【００１４】
排水溝５が形成されるＡＬＣ床パネル３は、例えば厚さ１００mm程度とされ、底面５ａの幅が７５mm程度、深さが２５mm程度の排水溝５を形成することが出来る。一方、勾配シート６は長さが１０００mm〜２０００mm程度、幅が７５mm程度、厚さが３mm〜１０mm程度とすることが出来る。
【００１５】
このように、片方の外側表面に辺に対して平行に排水溝５が形成されたＡＬＣ床パネル３を床２の奥行き方向ａの前方ｂに敷設し、該排水溝５の底面５ａに勾配シート６を接着等により敷設した後、該ＡＬＣ床パネル３表面及び勾配シート６の表面に防水処理を施す。防水処理としては、液体の塗膜防水や防水シートを敷設する。
【００１６】
ＡＬＣ床パネル３を支持する梁材４は床２の奥行き方向ａにおいて高低差が設けられ、該床２の前方ｂが下方に傾斜する水勾配が設けられている。従って、傾斜した床２面を奥行き方向ａの前方ｂに集められた雨水は一旦、排水溝５に集水され、該排水溝５の底面５ａに貼着された勾配シート６により図１の右方向から左方向へ排水される。
【００１７】
図２のＡＬＣ床パネル３はその長手方向が床２の奥行き方向ａに平行に配置され、梁材４上に載置して固定支持される。そして、敷き込まれたＡＬＣ床パネル３の奥行き方向ａの前方ｂ表面には排水溝５が図示しない建物壁面に対して平行に形成されている。ＡＬＣ床パネル３の短手方向の全長に亘って設けられた排水溝５は直線上に連続されており、該連設された複数のＡＬＣ床パネル３に亘る排水溝５の底面５ａに勾配シート６が接着等により敷設され、該ＡＬＣ床パネル３表面及び勾配シート６の表面に防水処理が施される。
【００１８】
そして、傾斜した床２面を奥行き方向ａの前方ｂに集められた雨水は一旦、排水溝５に集水され、該排水溝５の底面５ａに貼着された勾配シート６により図２の左方向から右方向へ排水される。
【００１９】
図３は敷き込まれたＡＬＣ床パネル３の床２の奥行き方向ａの前方ｂ表面に該ＡＬＣ床パネル３の長手方向の全長に亘って水平面からなる底面５ａを有する断面Ｌ字形状の排水溝５が図示しない建物壁面に対して平行に形成されており、該排水溝５が形成されたＡＬＣ床パネル３の小口面に手摺りの壁７が当接されて、全体的に断面コ字形状の排水溝５として構成された一例である。他の構成は前記各実施形態と同様に構成され、同様の効果を得ることが出来る。
【００２０】
前記各実施形態の勾配シート６は勾配を形成した単体の防水シートであったが、図４に示す勾配シート６は幅が同一で長さが異なり厚さが一定の複数の防水シート８を重ねて接着して勾配を形成した場合の一例である。このような勾配シート６も有効である。
【００２１】
上記構成により、住宅のベランダ、バルコニー或いは集合住宅の外廊下等の床２を構成するＡＬＣ床パネル３の表面に排水溝５が形成されたことで、該ＡＬＣ床パネル３が排水溝５を兼ねるため構造が簡単で排水溝部材を省略出来、施工も容易である。また、板金加工の排水溝部材と違ってＡＬＣ床パネル３が不燃材であるため排水溝５を含めて不燃性を維持することが出来る。また、ＡＬＣ床パネル３の表面に形成した排水溝５に長手方向に勾配を有する勾配シート６を敷設したことで該勾配シート６の長手方向の排水がスムーズに出来る。
【産業上の利用可能性】
【００２２】
本発明の活用例として、住宅のベランダ、バルコニー或いは集合住宅の外廊下等の排水床構造及びその施工方法に適用出来る。
【図面の簡単な説明】
【００２３】
【図１】本発明に係る排水床構造の第１実施形態を示す分解説明図である。
【図２】本発明に係る排水床構造の第２実施形態を示す分解説明図である。
【図３】本発明に係る排水床構造の第３実施形態を示す模式断面図である。
【図４】勾配シートの他の構成を示す図である。
【符号の説明】
【００２４】
１…排水床構造
２…床
３…ＡＬＣ床パネル
４…梁材
５…排水溝
５ａ…底面
６…勾配シート
７…手摺りの壁
８…防水シート
【図２】
2007224506.tif 000003
【図１】
2007224506.tif 000004
【図３】
2007224506.tif 000005
【図４】
2007224506.tif 000006